(57)【要約】      （修正有）【課題】従来の映像源より焦点距離が短く、大きな入射角で映像光が投射される短焦点型の映像源が用いられた場合にも、照度の測定毎のバラつきが小さく、精度の高い測定が可能な反射スクリーンの光学性能の測定冶具及び測定方法を提供する。【解決手段】映像源から投射された映像光を反射させて観察可能に表示する反射スクリーンの光学性能の測定冶具１であって、照度計が前記反射スクリーンを設置する測定位置より脱着可能に設けられており、前記照度計２により前記反射スクリーンの表示面の照度を測定する。前記照度計２を設置した時に測定面１２と前記照度計２の受光窓の基部２２が同一面であることを特徴とする反射スクリーンの光学性能の測定冶具１とする。【選択図】図１
2015200772.tif 000002
【特許請求の範囲】
【請求項１】
映像源（４）から投射された映像光を反射させて観察可能に表示する反射スクリーン（３）の光学性能の測定冶具（１）であって、
照度計（２）が前記反射スクリーンを設置する測定位置（５）より脱着可能に設けられており、
前記照度計（２）により前記反射スクリーン（３）の表示面の照度を測定するもので、
前記照度計（２）を設置した時に測定面（１２）と前記照度計（２）の受光窓の基部（２２）が同一面であることを特徴とする反射スクリーン（３）の光学性能の測定冶具（１）。
【請求項２】
照度の前記測定位置（５）と、前記照度計（２）の前記受光窓（２１）の中心が一致する位置に、
前記照度計（２）を設置した時に前記測定面（１２）と前記照度計（２）の受光窓の基部（２２）が同一面に設置可能な凹部（１３）、若しくは孔（１３）が設けられたことを特徴とする請求項１に記載の反射スクリーン（３）の光学性能の測定冶具（１）。
【請求項３】
映像源（４）から反射スクリーン（３）へ照射される映像光の照度、及び、前記映像源（４）から前記反射スクリーン（３）へ照射される前記映像光の前記反射スクリーン（３）で反射する映像光の輝度を測定する方法であって、以下の工程順に測定することを特徴とする測定方法。
（第１工程）前記反射スクリーン（３）を設置する光学性能の測定冶具（１）の測定面（１２）に、前記反射スクリーン（３）を設置する前に、前記測定面（１２）と照度計（２）の受光窓の基部（２２）が同一面となるように設置する工程。
（第２工程）前記映像源（４）から前記反射スクリーン（３）へ照射される前記映像光の照度として、前記映像源（４）から前記照度計（２）の前記受光窓（２１）に照射される映像光の照度を測定する工程。
（第３工程）前記測定位置（５）より前記照度計（２）を取り除く工程。
（第４工程）前記測定面（１２）に前記反射スクリーン（３）を設置する工程。
（第５工程）前記映像源（４）から前記反射スクリーン（３）へ照射される前記映像光の前記反射スクリーン（３）で反射する前記映像光の輝度を測定する工程。
【請求項４】
映像源（４）から反射スクリーン（３）へ照射される映像光の照度、及び、前記映像源（４）から前記反射スクリーン（３）へ照射される映像光の前記反射スクリーン（３）で反射する前記映像光の輝度を測定する方法であって、以下の工程順に測定することを特徴とする測定方法。
（第１工程）前記反射スクリーン（３）を設置する光学性能の測定冶具（１）の測定位置（５）に、照度計（２）を設置する前に、前記反射スクリーン（３）を設置する工程
（第２工程）前記映像源（４）から前記反射スクリーン（３）へ照射される前記映像光の前記反射スクリーン（３）で反射する前記映像光の輝度を測定する工程。
（第３工程）前記測定面（１２）より、前記反射スクリーン（３）を取り除く工程。
（第４工程）前記測定面（１２）と前記照度計（２）が前記照度計（２）の受光窓の基部（２２）が同一面となるように設置する工程。
（第５工程）前記映像源（４）から前記反射スクリーン（３）へ照射される前記映像光の照度として、前記映像源（４）から前記照度計（２）の前記受光窓（２１）に照射される映像光の照度を測定する工程。
【発明の詳細な説明】
【技術分野】
【０００１】
本発明は、映像源から投射された映像光を反射させて観察可能に表示する反射スクリーンの光学性能の測定冶具、及び、測定方法に関するものである。特に短焦点型の映像源向けの反射スクリーンでの測定に好適な光学性能の測定冶具及び測定方法に関するものである。
【背景技術】
【０００２】
近年、反射スクリーンに対して至近距離から比較的大きな入射角度で映像光を投写して大画面表示を実現する映像源である短焦点型の映像投射装置（プロジェクタ）等が広く利用されており、このような短焦点型の映像源によって投射された映像光を良好に表示するための反射スクリーン等も開発されている。このような短焦点型の映像源は、反射スクリーンに対して上方又は下方から従来の映像源よりも大きな入射角度で映像光を投射することができ、反射スクリーンを用いた映像表示システムの省スペース化等に寄与している。
【０００３】
このような短焦点型の映像源によって投射された映像光を良好に表示するために、単位レンズが複数配列されて形成されたリニアフルネルレンズ形状やサーキュラーフルネルレンズ形状を有するレンズ層の表面に反射層を形成した反射スクリーンなどが様々に開発されている。
【０００４】
特許文献１、特許文献２に記載されているように、このようにさまざまな反射スクリーンの重要な評価の一つとしてゲイン又は利得と呼ばれる値がある。（以下ゲインと称する。）
【０００５】
ここで、ゲイン（ｇａｉｎ）とは、図７に示した様に反射スクリーン３に対して、光（白色光）を映像源４から投射し、反射スクリーン３に光が入射する入射面での照度と、反射スクリーン３で反射されて反射スクリーン３から出射する光の輝度を、シート面（反射スクリーン３としてみたときの平面方向）の法線方向となす角度毎に測定し、以下に示す（式１）より求められる値である。ここでは、照度は、測定位置５での照度（図７に図示の照度計２により測定）であり、輝度は、測定位置５を通り画面左右方向に平行な面内において、点Ａに対して一定距離ｄ５離れた位置であって、測定位置５を通るスクリーン面の法線方向（正面方向）となす角度θ＝±８０°、±６０°、±４５°、±３０°、±２５°、±２０°、±１５°、±１０°、±５°、０°となる方向から、輝度計６によって測定位置５における輝度を測定して得られる輝度である。
Ｇ＝π×Ｋ／Ｉ  ・・・（式１）
この（式１）において、ゲインをＧ、円周率をπ、輝度をＫ（ｃｄ／ｍ2）、照度をＩ
（ｌｘ）で示している。そして、ピークゲインとは、得られたゲインの中でもっとも値が高いものを指す。
【先行技術文献】
【特許文献】
【０００６】
【特許文献１】特開２０１２−０７３３６３号公報
【特許文献２】特開２０１４−０１０４０４号公報
【発明の概要】
【発明が解決しようとする課題】
【０００７】
従来、比較的焦点距離が長く、スクリーンに対して垂直に近い角度で映像光が照射される映像源４’であった場合には、照度は、測定毎に安定した値が得られ、照度及び照度を基に計算されるゲインの値も観察者８の目視による感覚と一致した値が得られてきた。
【０００８】
しかしながら、従来の映像源４’より焦点距離が短く、大きな入射角で映像光が投射される短焦点型の映像源４が用いられた場合には、照度の測定毎のバラつきが大きく、時とし照度及び照度を基に計算されるゲインの値も観察者８の目視による感覚とかけ離れた値が得られるようになった。
【０００９】
本発明で解決しようとする課題は、従来の映像源４’より焦点距離が短く、大きな入射角で映像光が投射される短焦点型の映像源４が用いられた場合にも、照度の測定毎のバラつきが小さく、精度の高い測定が可能な反射スクリーンの光学性能の測定冶具及び測定方法を提供することにある。
【課題を解決するための手段】
【００１０】
本発明は、以下の解決手段により、前記課題を解決する。なお理解を容易にするために、本発明の実施形態に対応する符号を付して説明するが、これらに限定されるものではない。
【００１１】
請求項１の発明は、映像源（４）から投射された映像光を反射させて観察可能に表示する反射スクリーン（３）の光学性能の測定冶具（１）であって、照度計（２）が前記反射スクリーンを設置する測定位置（５）より脱着可能に設けられており、前記照度計（２）により前記反射スクリーン（３）の表示面の照度を測定するもので、前記照度計（２）を設置した時に測定面（１２）と前記照度計（２）の受光窓の基部（２２）が同一面であることを特徴とする反射スクリーン（３）の光学性能の測定冶具（１）である。
【００１２】
加えて本発明の請求項２は、照度の前記測定位置（５）と、前記照度計（２）の前記受光窓（２１）の中心が一致する位置に、前記照度計（２）を設置した時に前記測定面（１２）と前記照度計（２）の受光窓の基部（２２）が同一面に設置可能な凹部（１３）、若しくは孔（１３）が設けられたことを特徴とする請求項１に記載の反射スクリーン（３）の光学性能の測定冶具（１）である。
【００１３】
加えて本発明の請求項３は、映像源から反射スクリーン（３）へ照射される映像光の照度、及び、前記映像源（４）から前記反射スクリーン（３）へ照射される前記映像光の前記反射スクリーン（３）で反射する前記映像光の輝度を測定する方法であって、以下の工程順に測定することを特徴とする測定方法。
（第１工程）前記反射スクリーン（３）を設置する光学性能の測定冶具（１）の測定面（１２）に、前記反射スクリーン（３）を設置する前に、前記測定面（１２）と照度計（２）の受光窓の基部（２２）が同一面となるように設置する工程。
（第２工程）前記映像源（４）から前記反射スクリーン（３）へ照射される前記映像光の照度として、前記映像源（４）から前記照度計（２）の前記受光窓（２１）に照射される映像光の照度を測定する工程。
（第３工程）前記測定位置（５）より前記照度計（２）を取り除く工程。
（第４工程）前記測定面（１２）に前記反射スクリーン（３）を設置する工程。
（第５工程）前記映像源（４）から前記反射スクリーン（３）へ照射される前記映像光の前記反射スクリーン（３）で反射する映像光の輝度を測定する工程。
【００１４】
加えて本発明の請求項４は、映像源から反射スクリーン（３）へ照射される映像光の照度、及び、前記映像源（４）から前記反射スクリーン（３）へ照射される前記映像光の前記反射スクリーン（３）で反射する前記映像光の輝度を測定する方法であって、以下の工程順に測定することを特徴とする測定方法。
（第１工程）前記反射スクリーン（３）を設置する光学性能の測定冶具（１）の測定位置（５）に、照度計（２）を設置する前に、前記反射スクリーン（３）を設置する工程
（第２工程）前記映像源（４）から前記反射スクリーン（３）へ照射される映像光の前記反射スクリーン（３）で反射する映像光の輝度を測定する工程。
（第３工程）前記測定面（１２）より、前記反射スクリーン（３）を取り除く工程。
（第４工程）前記測定面（１２）と前記照度計（２）が前記照度計（２）の受光窓の基部（２２）が同一面となるように設置する工程。
（第５工程）前記映像源（４）から前記反射スクリーン（３）へ照射される前記映像光の照度として、前記映像源（４）から前記照度計（２）の前記受光窓（２１）に照射される前記映像光の照度を測定する工程。
【発明の効果】
【００１５】
本発明に係る反射スクリーンの光学性能の測定冶具１は、短焦点型の映像源４であっても、照度の測定毎のバラつきが小さく、精度の高い測定が可能な反射スクリーンの光学性能の測定冶具である。
【図面の簡単な説明】
【００１６】
【図１】図１は、本実施形態に係る反射スクリーンの光学性能の測定冶具に照度計を設置した状態を説明した部分断面図である。本図面は、図２に示したＡ−Ａ断面での断面図に相当する。
【図２】図２は、本実施形態に係る反射スクリーンの光学性能の測定冶具に照度計を設置した状態を説明した正面図である。
【図３】図３は、本実施形態に係る反射スクリーンの光学性能の測定冶具に反射スクリーンを設置した状態を説明した正面図である。
【図４】図４は、本実施形態に係る反射スクリーンの光学性能の測定冶具に反射スクリーンを設置した状態を説明した部分断面図である。本図面は、図３に示したＡ−Ａ断面での断面図に相当する。
【図５】図５は、本実施形態に係る反射スクリーンの光学性能の測定冶具に照度計を設置した状態での測定位置５ｅ測定時の位置関係を説明した側面図である。便宜的に５ｅ以外の測定点は省略している。
【図６】図６は、本実施形態に係る反射スクリーンの光学性能の測定冶具に反射スクリーンを設置した状態での測定位置５ｅ測定時の位置関係を説明した側面図である。便宜的に５ｅ以外の測定点は省略している。
【図７】図７は、従来の比較的焦点距離が長く、スクリーンに対して垂直に近い角度で映像光が照射される映像源４’であった場合の測定位置５ｅ測定時の位置関係を説明した側面図である。簡便のため５ｅ以外の測定点は省略している。
【図８】図８は、照度計の受光窓の基部が測定面と同一面となるように設置可能であり脱着可能とする光学性能の測定冶具の第一の形態の説明図である。図８の（ａ）は、照度計の設置時の部分断面図である。図８の（ｂ）は、照度計を取り外した際の部分断面図である。
【図９】図９は、照度計の受光窓の基部が測定面と同一面となるように設置可能であり脱着可能とする光学性能の測定冶具の第二の形態の説明図である。図９の（ａ）は、照度計の設置時の部分断面図である。図９の（ｂ）は、照度計を取り外した際の部分断面図である。
【図１０】図１０は、第一の測定方法を説明する工程フロー図である。
【図１１】図１１は、第二の測定方法を説明する工程フロー図である。
【発明を実施するための形態】
【００１７】
以下、本願発明の実施形態について、図面を用いて以下に詳しく説明する。なお、本願発明は、以下の実施形態に何ら限定されるものではなく、本願発明の目的の範囲内において、適宜変更を加えて実施することができる。なお、図面は概念図であり、説明上の都合に応じて適宜、構成要素の縮尺関係、縦横比等は誇張されていることがある。また、本明細書においては、本発明の主要部である反射スクリーンの光学性能の測定冶具の定盤、測定面、照度計について説明の必要に応じて記載、図示しており、実製品においては、このほかに反射スクリーンを定盤１１の測定面１２に固定する機構、定盤１１を床７に保持する脚部、又は、定盤１１を壁などに保持する接合部、などが必要に応じて設けられる場合が多い。
【００１８】
また、大量生産の生産ラインに応用する際には、定盤１１は、床7に対して水平に固定し、上部、又は、下部に輝度計６や映像源４を設けることも可能であり、照度計２や、反射スクリーンを設置し、取り除く機構を設けてもよいことは言うまでもない。
【００１９】
本実施形態において、便宜的に図面に示したＸ軸方向を左右方向（特に矢印の方向を右）、Ｙ軸方向を上下（特に矢印方向を上）、Ｚ軸方向を前後（特に矢印の方向が前）呼ぶこととする。定盤を基準として、Ｚ軸の矢印方向を映像源側、若しくは、観察者側と称し、定盤を基準として、Ｚ軸の矢印方向と反対方向を背面側と称する。
また、正面図とは、映像源側（観察者側）から、ＸＹ平面に平行な測定面１２，若しくは、シート状の反射スクリーンを全体的かつ大局的に見た場合において、その平面方向と一致する面（ＸＹ平面に平行な面）を観察した際に得られる図面であり、言い換えれば、ＸＹ平面に平行な測定面１２，若しくは、シート状の反射スクリーンに立てた法線方向（Ｚ軸方向）から見た形状を示す図面である。
【００２０】
＜反射スクリーンの光学性能の測定冶具＞
本実施形態における反射スクリーン３の光学性能の測定冶具１は、図１から図４に例示したように、映像源４から投射された映像光を反射させて観察可能に表示する反射スクリーン３の光学性能の測定冶具１であって、照度計２が反射スクリーン３を設置する測定位置５より脱着可能に設けられており、照度計２により反射スクリーン３の表示面の照度を測定するもので、
前記照度計２を設置した時に前記測定面１２と前記照度計２の受光窓の基部２２が同一面であることを特徴とする反射スクリーン３の光学性能の測定冶具１である。
【００２１】
このような光学性能の測定冶具１とすることで従来の映像源４’より焦点距離が短く、大きな入射角で映像光が投射される短焦点型の映像源４が用いられた場合にも、照度の測定毎のバラつきが小さく、精度の高い測定が可能な反射スクリーンの光学性能の測定冶具とすることが可能となる。
【００２２】
すなわち、図７に示した様な従来の比較的焦点距離が長く、反射スクリーン３に対して垂直に近い角度で映像光が照射される映像源４’であった場合には、照度は、測定毎に安定した値が得られ、照度及び照度を基に計算されるゲインの値も観察者８の目視による感覚と一致した値が得られてきた。
【００２３】
これは、従来の映像源４’が、反射スクリーン３に対して垂直に近い角度で映像光が照射していたため、照度の測定に際しても、映像光は照度計２の受光窓２１に垂直に近い角度で入射していた。このため、数ｃｍの前後の位置（Ｚ軸方向）の測定位置５の相違は、照度の数値に大きな相違とはならなかった。
【００２４】
そのため、図７に図示したように、光学性能の測定冶具１の測定面１２にあらかじめ反射スクリーン３を設置して、映像光を照射した反射スクリーンの映像源４’側に、映像源４’に受光窓２１を向けるように照度計２をかざして照度を測定しても十分な精度が得られてきた。
【００２５】
一方、短焦点型の映像源４の場合は、従来映像源４’と比較して大きな入射角で映像光が投射されるため、照度の測定に際しても、映像光は照度計２の受光窓２１に大きな入射角で入射する。このため、数ｃｍの前後の位置（Ｚ軸方向）の測定位置５の相違が、照度の数値に大きな相違となって現れることに起因することを見出した。
【００２６】
本実施形態は、反射スクリーンの光学性能の測定冶具１より、照度計２、特に受光窓２１の位置を精度よく位置決め可能とすることにより、大きな入射角で映像光が投射される短焦点型の映像源４が用いられた場合にも、照度の測定毎のバラつきが小さく、精度の高い測定が可能な反射スクリーンの光学性能の測定冶具を実現した。
【００２７】
本実施形態において、照度計２を設置した際の光学性能の測定冶具１の測定面１２との位置関係は、図１に示した様に、測定面１２と照度計２の受光窓の基部２２が同一面となる必要がある。
【００２８】
照度計２の受光窓２１の形状は、通常上面から見た際には円形であり、側面から見ると前面に突き出した透光性のドーム型となっている。さらに、受光窓２１の周辺には一定の高さを持ったフード状の突起がもうけられている。本実施形態において受光窓の基部２２とは、照度計２の本体の非透光材質と透光材質でできている受光窓２１とがなす円形の境界を指し示す用語として用いている。「測定面１２と照度計２の受光窓の基部２２が同一面となる」とは、定盤１１の反射スクリーン設置面である測定面１２と、照度計の本体の非透光材質と透光材質でできている受光窓２１とがなす円形の境界が同一面に存在する状態を示している。
【００２９】
照度計２の受光窓の基部２２が測定面１２より前に出ると大きな角度を持って照射される映像光の一部が、受光窓の周辺に設けられた一定の高さを持ったフード状の突起に阻害されて受光窓２１に当たらないため正確な照度の測定が困難となり好ましくない。また、照度計２の受光窓の基部２２が測定面１２より後ろに下がると測定面での散乱光等の影響を受け正確な測定が困難となり好ましくない。
【００３０】
測定面１２と照度計２の受光窓の基部２２が同一面となるように照度計２を設置すると、受光窓２１は当然測定面１２より前面に突き出すこととなり、反射スクリーン３を測定面１２に平坦に設置することが出来なくなる。従って、照度計２は、着脱可能に設ける必要がある。ここで、照度計２が脱着可能とは、物理的に光学性能の測定冶具１から照度計２取り外す場合のみならず、測定装置１と照度計２が一体でありながら、測定面１２も反射スクリーン３を設ける際に障害とならない位置関係に移動（退避）可能である場合を含む概念である。
【００３１】
また、測定面１２と照度計２の受光窓の基部２２が同一面となるように照度計２を設置するためには、定盤１１に照度計２の厚みを収納する凹部１３、若しくは、定盤１１を貫通する孔１３を設ける必要がある。
【００３２】
このような条件を満たす光学性能の測定冶具１の照度計２の設置部の第一の形態を説明する断面図を図８に記載した。図８に記載の第一の形態では、定盤１１に照度計２を収納する凹部１３を形成し、凹部１３の底にあたる部分と照度計２の裏面に互いに脱着可能な脱着機構１４を設けている。図８の（ａ）は図示したように、光学性能の測定冶具１に照度計２を設置する時には、脱着機構１４により、照度計２の受光窓の基部２２が測定面１２と同一面となるように取り付けることが出来る。また、反射スクリーン３を設置する時には、図８の（ｂ）に図示したように脱着機構１４を解除することで照度計２を容易に取り外すことが出来る。
【００３３】
凹部１３の底にあたる部分と照度計２の裏面に互いに脱着可能の設ける脱着機構１４としては、粘着により脱着可能とする機構、マジックテープ（登録商標）（Ｍａｇｉｃ  Ｔａｐｅ（登録商標））、ベルクロ（登録商標）（Ｖｅｌｃｒｏ（登録商標））等に代表される面ファスナーにより脱着可能とする機構、機械的な脱着装置を設けることにより脱着可能とする機構などが利用可能である。中でも、凹部１３の底にあたる部分と照度計２の裏面に面ファスナーを設ける機構は、脱着が簡便であるうえ、廉価に実現可能であり好適である。
このような脱着機構１４は、人手で設置、取り除く場合に背面側に回り込むことなく前面側にて作業化完結できる点で優れた脱着機構１４である。
【００３４】
このような条件を満たす光学性能の測定冶具１の照度計２の設置部の第二の形態を説明する断面図を図９に記載した。図９に記載の第一の形態では、定盤１１に照度計２を収納する孔１３を形成し、孔１３の底にあたる照度計固定部１５にと照度計２を固定し照度計固定部１５を定盤１１に対して脱着可能とすることを実現している。図９の（ａ）は図示したように、光学性能の測定冶具１に照度計２を設置する時には、照度計固定部１５を定盤１１取り付けることによって、照度計２の受光窓の基部２２が測定面１２と同一面となるように取り付けることが出来る。また、反射スクリーン３を設置する時には、照度計固定部１５を定盤１１から離脱することで照度計を容易に取り外すことが出来る。
【００３５】
本実施形態の光学性能の測定冶具１の測定面１２は、照度の測定位置５に照度計２の受光窓２１の中心が一致する位置に、照度計２を設置した時に測定面１２と前記照度計２の受光窓の基部２２が同一面に設置可能な凹部、若しくは孔が設けられている。図２は、本実施形態の光学性能の測定冶具１に照度計２を設置した時の正面図である。本図面においては、縦の長さＬ１、横の長さＬ２である反射スクリーンを設置したと仮定した際に９分割して、それぞれの中心位置を測定位置５としている例である。本実施形態において測定位置５は、５ａ〜５ｉの９点としたが、測定位置５は評価する反射スクリーン３に求められる性能と大きさを考慮して任意位置に任意の数に設定してやればよい。
【００３６】
＜測定方法＞
本実施形態において、映像源４から反射スクリーン３へ照射される映像光の照度、及び、映像源４から反射スクリーン３へ照射される映像光の反射スクリーン３で反射する映像光の輝度を測定する方法は、大きく分けて、映像源４から反射スクリーン３へ照射される映像光の照度を測定後に映像源４から反射スクリーン３へ照射される映像光の反射スクリーン３で反射する映像光の輝度を測定する第一の測定方法（図１０）と、映像源４から反射スクリーン３へ照射される映像光の反射スクリーン３で反射する映像光の輝度を測定後に映像源４から反射スクリーン３へ照射される映像光の照度を測定する第二の測定方法（図１１）に分けることが出る。
【００３７】
ここでは説明上、測定位置５の代表として測定位置５ｅでの測定について記載するが、他の測定位置５ａ〜５ｉについても同時に、若しくは測定位置毎に繰り返すことにより同様に測定できる。なお、いずれの測定においても、プロジェクタは、測定２０分以上前に点灯してランプの光量の安定を確認したものである。
【００３８】
［第一の測定方法］
第一の測定方法の工程を示す図１０のフローチャートに従って、第一の測定方法を説明する。
【００３９】
最初の工程は、（第１工程）照度計２を設置する工程である。すなわち、反射スクリーン３を設置する光学性能の測定冶具１の測定面１２に、反射スクリーン３を設置する前に、測定面１２と照度計２の受光窓の基部２２が同一面となるように設置する工程である。図１に測定面１２と照度計２の受光窓の基部２２が同一面となるように設置した断面図を示す。また、図２に測定面１２と照度計２の受光窓の基部２２が同一面となるように設置した正面図を示す。
【００４０】
本実施形態においては、Ｌ１＝１２４５．０ｍｍ、Ｌ２＝２２１４．０ｍｍの１００インチの反射スクリーン３である場合を想定しており、この場合には、Ｌ３＝２０７．５ｍｍ、Ｌ４＝６２２．５ｍｍ、Ｌ５＝１０３７．５ｍｍ、Ｌ６＝３６９．０ｍｍ、Ｌ７＝１１０７．０ｍｍ、Ｌ８＝１８４５．０ｍｍ、に設定している。
【００４１】
第２の工程は、（第２工程）照度の測定工程である。すなわち、映像源４から反射スクリーン３へ照射される映像光の照度として、映像源４から照度計２の受光窓２１に照射される映像光の照度を測定する工程である。図５は照度の測定環境の側面図である。まず暗室９環境にて下において光学性能の測定冶具１の測定面１２の下端（本実施形態においては、反射スクリーンを設置した際の反射クリーンの下端と一致する）から床７までの寸法ｄ４＝０．６ｍであり、映像源４は映像光を投射する投射口が光学性能の測定冶具１の測定面１２の左右方向中央から観察者８側にｄ１＝０．４４ｍ、光学性能の測定冶具１の測定面１２の下端から下方へｄ２＝０．２８ｍの位置に配置され、光学性能の測定冶具１の測定面１２の中心となる測定位置５ｅへの映像光が画面上下方向において入射角６４度で入射する。照度計２は、コニカミノルタ社製  デジタル照度計  Ｔ−１を用いた。映像源は、サンヨー社製  プロジェクタ  ＰＤＧ−ＤＷＬ２５００Ｊを用いパターンジェネレータ（ＫＥＮＷＯＯＤ  ＣＧ−９３５Ｎ）のビデオ出力で白画面を表示した。
【００４２】
第３の工程は、（第３工程）照度計２を取り除く工程である。すなわち、測定面１２より照度計２を取り除く工程である。上述したように本実施形態においては、照度計２を容易にとり外すことが出来る。
【００４３】
第４の工程は、（第４工程）反射スクリーン３の設置工程である。すなわち、測定面に１２に反射スクリーン３を設置である。図４に測定面１２に密着して反射スクリーンを設置した断面図を示す。また、図３に測定面１２に反射スクリーン３を設置した正面図を示す。
【００４４】
第５の工程は、（第５工程）輝度の測定工程である。すなわち、映像源４から反射スクリーン３へ照射される映像光の反射スクリーン３で反射する映像光の輝度を測定する工程である。図６は輝度の測定環境の側面図である。
【００４５】
まず、暗室９環境下において、図６に示すように、反射スクリーン３の下端から床７までの寸法ｄ４＝０．６ｍであり、映像源４は映像光を投射する投射口が反射スクリーン３の左右方向中央から観察者８側にｄ１＝０．４４ｍ、反射スクリーン３の下辺より下方へｄ２＝０．２８ｍの位置に配置され、反射スクリーン３の中心となる測定位置５eへの映像光が画面上下方向において入射角６４度で入射する。映像源４から白色光を照射し、測定位置５を通り画面左右方向に平行な面内において、測定位置５に対してｄ５＝３．２ｍ離れた位置であって、測定位置５を通るスクリーン面の法線方向（正面方向）となす角度θ＝±８０°、±６０°、±４５°、±３０°、±２５°、±２０°、±１５°、±１０°、±５°、０°となる方向から、輝度計（コニカミノルタ社製  ＬＳ−１１０）によって測定位置５における輝度を測定した。
【００４６】
さらに必要に応じて、最後の（第６工程）反射スクリーンを取り除く工程を入れればよい。測定を繰り返す場合などは、第５の工程を、また必要に応じて第１の工程から第５の工程を繰り返せばよい。
［第二の測定方法］
第二の測定方法の工程を示す図１１のフローチャートに従って、第二の測定方法を説明する。
【００４７】
最初の工程は、（第１工程）反射スクリーン３の設置工程である。すなわち、測定面に１２に反射スクリーン３を設置である。図４に測定面１２密着して反射スクリーンを設置した断面図を示す。また、図３に測定面１２に反射スクリーン３を設置した正面図を示す。
【００４８】
第２の工程は、（第２工程）輝度の測定工程である。すなわち、映像源４から反射スクリーンへ照射される映像光の反射スクリーン上で反射する映像光の輝度を測定する工程である。図６は輝度の測定環境の側面図である。
【００４９】
まず、暗室９環境下において、図６に示すように、反射スクリーン３の下辺から床７までの寸法ｄ４＝０．６ｍであり、映像源４は映像光を投射する投射口が反射スクリーン３の左右方向中央から観察者８側にｄ１＝０．４４ｍ、反射スクリーン３の下辺から下方へｄ２＝０．２８ｍの位置に配置され、反射スクリーン３の中心となる測定位置５eへの映像光が画面上下方向において入射角６４度で入射する。映像源４から白色光を照射し、測定位置５を通り画面左右方向に平行な面内において、測定位置５に対してｄ５＝３．２ｍ離れた位置であって、測定位置５を通るスクリーン面の法線方向（正面方向）となす角度θ＝±８０°、±６０°、±４５°、±３０°、±２５°、±２０°、±１５°、±１０°、±５°、０°となる方向から、輝度計６（コニカミノルタ社製  ＬＳ−１１０）によって測定位置５で反射する映像光の輝度を測定した。映像源は、サンヨー社製  プロジェクタ  ＰＤＧ−ＤＷＬ２５００Ｊを用いパターンジェネレータ（ＫＥＮＷＯＯＤ  ＣＧ−９３５Ｎ）のビデオ出力で白画面を表示した。
【００５０】
第３の工程は、（第３工程）反射スクリーン３を取り除く工程である。すなわち、反射スクリーン３を光学性能の測定冶具１の測定面１２から取り外す。
【００５１】
第４の工程は、（第４工程）照度計２を設置する工程である。すなわち、反射スクリーン３を設置する光学性能の測定冶具１の測定面１２に、反射スクリーン３を取り外した後に、測定面１２と照度計２の受光窓の基部２２が同一面となるように設置する工程である。図１に測定面１２と照度計２の受光窓の基部２２が同一面となるように設置した断面図を示す。また、図２に測定面１２と照度計２の受光窓の基部２２が同一面となるように設置した正面図を示す。
【００５２】
第５の工程は、（第５工程）照度の測定工程である。すなわち、映像源４から反射スクリーン３へ照射される映像光の照度として、映像源４から照度計２の受光窓２１に照射される映像光の照度を測定する工程である。図５は照度の測定環境の側面図である。まず暗室９環境にて下において光学性能の測定冶具１の測定面１２の下端から床７までの寸法ｄ４＝０．６ｍであり、映像源４は映像光を投射する投射口が光学性能の測定冶具１の測定面１２の左右方向中央から観察者８側にｄ１＝０．４４ｍ、光学性能の測定冶具１の測定面１２下方へｄ２＝０．２８ｍの位置に配置され、光学性能の測定冶具１の測定面１２の中心となる測定位置５への映像光が画面上下方向において入射角６４度で入射する。照度計２は、コニカミノルタ社製  デジタル照度計  Ｔ−１を用い、映像源は、サンヨー社製  プロジェクタ  ＰＤＧ−ＤＷＬ２５００Ｊを用いた。この際映像源は、パターンジェネレータ（ＫＥＮＷＯＯＤ  ＣＧ−９３５Ｎ）のビデオ出力で白画面を表示した。
【００５３】
さらに必要に応じて、最後に（第６工程）照度計２を取り除く工程を入れればよい。測定を繰り返す場合などは、第１の工程から第５の工程を繰り返せばよい。或いは、第２の工程を繰り返した後に第３の工程に進めばよい。
【００５４】
［ゲインの算出］
測定によって得られた画面左右方向の輝度分布から、画面左右方向におけるピークゲイン、１／２角αを算出した。ここで、ゲインとは、上述のように、反射スクリーンに対して、光（白色光）を映像源４から投射し、反射スクリーン３に光が入射す入射面での照度と、反射スクリーン３で反射されて反射スクリーン３から出射する光の輝度を、測定面１２の法線方向となす角度毎に測定し、以下に示す（式２）より求められる値である。ここでは、照度は、前述の測定位置５での照度（照度計２（コニカミノルタ社製  デジタル照度計  Ｔ−１）により測定）であり、輝度は、上述の測定で得られる輝度である。
Ｇ＝π×Ｋ／Ｉ  ・・・（式２）
この（式２）において、ゲインをＧ、円周率をπ、輝度をＫ（ｃｄ／ｍ2）、照度をＩ
（ｌｘ）で示している。そして、ピークゲインとは、得られたゲインの中でもっとも値が
高いものを指す。
【００５５】
第一の測定方法、第二の測定方法と共に、従来の測定方法にて同一の反射スクリーン３の測定を１０回繰返した。その結果、同一の測定位置５であっても、従来の測定方法での照度は平均値に対して３％〜５％のバラつきを見せた。これに対して第一の測定方法、及び第二の測定方法による照度の測定値は、平均値に対して２％〜３％のバラつきに収まり精度が高く、再現性の良い測定結果が得られた。
【００５６】
第一の測定方法、第二の測定方法により測定した照度及び輝度から算出したゲインも従来の測定結果から得られた値に比べ、観察者の観察に一致する値となっていた。
【産業上の利用可能性】
【００５７】
本発明の反射スクリーンの光学性能の測定冶具および測定方法は、短焦点型の映像源の場合にとどまらず。精度の高い光学性能の測定冶具、及び測定方法として、反射スクリーン一般の評価、測定の用途においても適用できる。
【符号の説明】
【００５８】
１    光学性能の測定冶具
２    照度計
３    反射スクリーン
４    映像源
４’  （比較的焦点距離が長い）映像源
５    測定位置
６    輝度計
７    床
８    観察者
９    暗室
１１  定盤
１２  測定面
１３  凹部（又は孔）
１４  脱着機構
１５  照度計固定部
２１  受光窓
２２  受光窓の基部
【図１】
2015200772.tif 000003
【図２】
2015200772.tif 000004
【図３】
2015200772.tif 000005
【図４】
2015200772.tif 000006
【図５】
2015200772.tif 000007
【図６】
2015200772.tif 000008
【図７】
2015200772.tif 000009
【図８】
2015200772.tif 000010
【図９】
2015200772.tif 000011
【図１０】
2015200772.tif 000012
【図１１】
2015200772.tif 000013